(57)【要約】【課題】外反母趾の矯正にあたり、外側に突き出した足の親指の付け根側に、より効果的に内側に向けた力を作用させることが可能な矯正具を提供する。【解決手段】つま先Ｆａ側からの足Ｆの受け入れを弾性変形によって許容するように構成された内側装着体２と、足Ｆの親指Ｆｃ側の側部に密着する内側部分３ｆと足Ｆの小指Ｆｄ側の側部に密着する外側部分３ｇとを備えてなる外側装着体３と、ばね条数を異ならせる二種以上の長尺の板バネ体４とを備える。二種以上の前記板バネ体４のいずれか一つを、前記内側部分３ｆに、足Ｆの前後方向ｘに前記板バネ体４の長さ方向を沿わせ、かつ、前記板バネ体４の一面３ａが足Ｆの親指Ｆｃ側の側部に向き合う態様で、取り替え自在に添装可能としてなる。【選択図】図２
2020028370.tif 000002
【特許請求の範囲】
【請求項１】
つま先側からの足の受け入れを弾性変形によって許容するように構成された内側装着体と、
足の親指側の側部に密着する内側部分と、足の小指側の側部に密着する外側部分と、足の裏側において前記内側部分と前記外側部分とを連絡する裏側連絡部分と、足の甲側において前記内側部分と前記外側部分とを連絡する甲側連絡部分とを備え、足に前記内側装着体を装着した状態においてその外側に重ねて装着可能に構成された外側装着体と、
ばね条数を異ならせる二種以上の長尺の親指側板バネ体とを備えると共に、
二種以上の前記親指側板バネ体のいずれか一つを、前記外側装着体の前記内側部分に、足の前後方向に前記親指側板バネ体の長さ方向を沿わせ、かつ、前記親指側板バネ体の一面が足の親指側の側部に向き合う態様で、取り替え自在に添装可能としてなる、外反母趾矯正具。
【請求項２】
ばね条数を異ならせる二種以上の長尺の小指側板バネ体とを備えると共に、
二種以上の前記小指側板バネ体のいずれか一つを、前記外側装着体の前記外側部分に、足の前後方向に前記小指側板バネ体の長さ方向を沿わせ、かつ、前記小指側板バネ体の一面が足の小指側の側部に向き合う態様で、取り替え自在に添装可能としてなる、請求項１に記載の外反母趾矯正具。
【請求項３】
前記内側装着体における、足の親指側の側部に密着する内接部分、及び、足の小指側の側部に密着する外接部分を、その余の部分よりも厚肉に構成してなる、請求項１又は請求項２に記載の外反母趾矯正具。
【発明の詳細な説明】
【技術分野】
【０００１】
この発明は、足に装着されて外反母趾を矯正する矯正具の改良に関する。
【背景技術】
【０００２】
外反母趾は、足の親指の付け根の骨が変形し外側に突き出た状態である（一般にＭＰ関節位置でこの変形が生じる。）。これを矯正するために、外側に突き出した親指の付け根側に内側に向けた力を作用させるサポーターとして特許文献１に示されるものがある。
【先行技術文献】
【特許文献】
【０００３】
【特許文献１】特開２０００−３０８６５４号公報
【発明の概要】
【発明が解決しようとする課題】
【０００４】
この発明が解決しようとする主たる問題点は、外反母趾の矯正にあたり、親指のつま先側に外側に向けた力を必要に応じて可変調整可能な態様で効果的に作用させることが可能な矯正具を提供する点にある。
【課題を解決するための手段】
【０００５】
前記課題を達成するために、この発明にあっては、外反母趾矯正具を、つま先側からの足の受け入れを弾性変形によって許容するように構成された内側装着体と、足の親指側の側部に密着する内側部分と、足の小指側の側部に密着する外側部分と、足の裏側において前記内側部分と前記外側部分とを連絡する裏側連絡部分と、足の甲側において前記内側部分と前記外側部分とを連絡する甲側連絡部分とを備え、足に前記内側装着体を装着した状態においてその外側に重ねて装着可能に構成された外側装着体と、
ばね条数を異ならせる二種以上の長尺の親指側板バネ体とを備えると共に、
二種以上の前記親指側板バネ体のいずれか一つを、前記外側装着体の前記内側部分に、足の前後方向に前記親指側板バネ体の長さ方向を沿わせ、かつ、前記親指側板バネ体の一面が足の親指側の側部に向き合う態様で、取り替え自在に添装可能としてなる、ものとした。
【０００６】
かかる構成によれば、足に前記内側装着体を装着した状態からさらに外側装着体に足を差し入れたときに、前記のように添装された親指側板バネ体を、内側装着体の装着位置を屈曲中心として、この屈曲中心よりも足のつま先側に位置される部分が小指側に位置されるように弾性変形させることができる。そして、この弾性変形によって親指側板バネ体から生じる力（弾性復帰しようとする力）を親指のつま先側を小指から離れる向きに引っ張る力として外側装着体を介して親指の骨に作用させることができ、この力の作用によって、外反母趾を矯正することができる。また、外側装着体に添装させる板バネ体を取り替えることにより、親指側板バネ体によって作用される前記力の大きさを必要に応じて変えることができる。内側装着体をＭＰ関節よりもややかかと側に装着することで、外反母趾によって突き出したＭＰ関節を親指側板バネ体で直接的に圧迫しないようにして、前記屈曲中心を支点とした前記力を親指の骨に作用させることができる。
【０００７】
前記外反母趾矯正具において、ばね条数を異ならせる二種以上の長尺の小指側板バネ体とを備えると共に、
二種以上の前記小指側板バネ体のいずれか一つを、前記外側装着体の前記外側部分に、足の前後方向に前記小指側板バネ体の長さ方向を沿わせ、かつ、前記小指側板バネ体の一面が足の小指側の側部に向き合う態様で、取り替え自在に添装可能とすることが、この発明の態様の一つとされる。
【０００８】
また、前記内側装着体における、足の親指側の側部に密着する内接部分、及び、足の小指側の側部に密着する外接部分を、その余の部分よりも厚肉に構成することが、この発明の態様の一つとされる。
【発明の効果】
【０００９】
この発明によれば、外反母趾の矯正にあたり、親指のつま先側に外側に向けた力を必要に応じて可変調整可能な態様で効果的に作用させることが可能となる。
【図面の簡単な説明】
【００１０】
【図１】図１は、この発明の一実施の形態にかかる矯正具の斜視構成図である。
【図２】図２は、前記矯正具の使用状態を示した要部破断平面構成図である。
【図３】図３は、前記矯正具の使用状態を示した側面構成図であり、親指側から足を見て示している。
【図４】図４は、前記矯正具の使用状態を示した側面構成図であり、小指側から足を見て示している。
【図５】図５は、足の骨の構造を上から見て示した平面構成図である。
【発明を実施するための形態】
【００１１】
以下、図１〜図５に基づいて、この発明の典型的な実施の形態について、説明する。この実施の形態にかかる矯正具１は、足Ｆに装着されて外反母趾を矯正するものである。
【００１２】
かかる矯正具１は、内側装着体２と、外側装着体３と、二種以上の板バネ体４とから構成される。
【００１３】
内側装着体２は、つま先Ｆａ側からの足Ｆの受け入れを弾性変形によって許容するように構成されている。
【００１４】
図示の例では、内側装着体２は、弾性変形可能な材料からなる帯状体より構成された環状体として構成されている。内側装着体２は、幅広の内面２ａと外面２ｂとを持ち、内面２ａを足Ｆの表面に密着させるようにして、その内側に前記のように足Ｆを受け入れるようになっている。内側装着体２は典型的には、プラスチックエラストマーのようなゴム状弾性を備えたプラスチックから構成される。
【００１５】
内側装着体２は、足Ｆに対し、ＭＰ関節Ｆｅよりもやや踵Ｆｂ側において、弾性変形状態で装着可能な大きさを持つように構成されている。
【００１６】
外反母趾の場合、親指Ｆｃの付け根、つまり、ＭＰ関節Ｆｅの位置が、外側に張り出す。内側装着体２を、足Ｆに対し、ＭＰ関節ＦｅよりもややかかとＦｂ側において、より具体的には中足骨ＦｆにおけるＭＰ関節Ｆｅよりの位置において、弾性変形状態で装着させることで、親指Ｆｃの骨はＭＰ関節ＦｅよりかかとＦｂ側で内向きに圧迫されることから、ＭＰ関節Ｆｅよりもつま先Ｆａ側では外側に開く。これにより、外反母趾の症状を軽減させる向きの力を、親指Ｆｃの骨に継続的に付与させることができる。
【００１７】
また、内反小趾の場合、小指Ｆｄの付け根、つまり、ＭＰ関節Ｆｅの位置が、外側に張り出す。内側装着体２を、足Ｆに対し、ＭＰ関節ＦｅよりもややかかとＦｂ側において、より具体的には中足骨ＦｆにおけるＭＰ関節Ｆｅよりの位置において、弾性変形状態で装着させることで、小指Ｆｄの骨はＭＰ関節ＦｅよりかかとＦｂ側で内向きに圧迫されることから、ＭＰ関節Ｆｅよりもつま先Ｆａ側では外側に開く。これにより、内側装着体２によって、同時に、内反小趾の症状を軽減させる向きの力を、小指Ｆｄの骨に継続的に付与させることができる。
【００１８】
また、この実施の形態にあっては、前記内側装着体２における、足Ｆの親指Ｆｃ側の側部に密着する内接部分２ｃ、及び、足Ｆの小指Ｆｄ側の側部に密着する外接部分２ｄを、その余の部分よりも厚肉に構成している。これにより、第一に、この外接部分２ｄ及び内接部分２ｃを後述の板バネ体４の屈曲中心として外側に張り出させることができ、板バネ体４の弾性変形量を増加させて、その弾性復帰力、つまり、外反母趾及び内反小趾の症状を改善させる向きの力を足Ｆの骨に対し効果的に付与させることができる。また、第二に、前記内接部分２ｃ及び外接部分２ｄ以外の部分では内側装着体２の厚さを最小化することができ、外反母趾矯正具を装着した状態において歩行などにできるだけ支障がないようにすることができる。
【００１９】
一方、外側装着体３は、足Ｆのつま先Ｆａ側から、内部に足Ｆを差し入れ可能で、足Ｆを差し入れきった状態において足Ｆにフィットする形態、大きさ、素材から構成される。また、外側装着体３は、足Ｆに前記内側装着体２を装着した状態においてその外側に重ねて装着可能に構成されている。
【００２０】
図示の例では、外側装着体３は、伸縮性を持ちスリーブ状を呈している。外側装着体３は典型的には伸縮性を持った生地や、プラスチックエラストマーのようなゴム状弾性を備えたプラスチックから構成される。外側装着体３は、弾性的に広がりながら、足Ｆの差し入れを許容し、差し入れきった位置での弾性復帰により足Ｆにフィットする大きさを持つように構成される。外側装着体３の両端３ａ、３ｂはそれぞれ開放されており、一端２ｂから足Ｆを差し入れ、差し入れきった位置で他端３ａから指が突き出すようになっている。
【００２１】
外側装着体３の他端３ａは、三つに分割されている。すなわち、外側装着体３の他端３ａは、親指挿通部３ｃと、小指挿通部３ｄと、両者の間に形成されたその余の指の通過部３ｅとから構成されている。
【００２２】
親指挿通部３ｃは親指Ｆｃのみを通す筒状をなし、小指挿通部３ｄは小指Ｆｄのみを通す筒状をなしている。親指挿通部３ｃ及び小指挿通部３ｄはその余の指の通過部３ｅよりも前方に伸び出している。この結果、外側装着体３に足Ｆを差し入れきった状態では、親指Ｆｃは親指挿通部３ｃの先端（前記外側装着体３の他端３ａの一部ともなる）から指先のみを突き出し、小指Ｆｄは小指挿通部３ｄの先端（前記外側装着体３の他端３ａの一部ともなる）から指先のみを突き出すが、それ以外の指はその全体を前記通過部３ｅから突き出すようになっている（図２）。
【００２３】
これにより、外側装着体３は、足Ｆの親指Ｆｃ側の側部に密着する内側部分３ｆと、足Ｆの小指Ｆｄ側の側部に密着する外側部分３ｇと、足Ｆの甲側において前記内側部分３ｆと前記外側部分３ｇとを連絡する甲側連絡部分３ｈと、足Ｆの裏側において前記内側部分３ｆと前記外側部分３ｇとを連絡する裏側連絡部分３ｉとを備えている。
【００２４】
内側部分３ｆは、足Ｆの親指Ｆｃ側の側部のうち、親指ＦｃのＭＰ関節Ｆｅが位置される箇所Ｆｄを挟んだつま先Ｆａ側の一定範囲と、かかとＦｂ側の一定範囲に及ぶように形成され、
外側部分３ｇは、足Ｆの小指Ｆｄ側の側部のうち、小指ＦｄのＭＰ関節Ｆｅが位置される箇所Ｆｆを挟んだつま先Ｆａ側の一定範囲と、かかとＦｂ側の一定範囲に及ぶように形成されている。図示の例では、外側装着体３は、足Ｆの足首から前側を受け入れる構成となっている。
【００２５】
板バネ体４は、長尺であり、帯板状をなしている。板バネ体４の長さは前記内側部分３ｆ及び外側部分３ｇの前後方向ｘの寸法以内に設定される。板バネ体４の幅は足Ｆの厚み、つまり、足Ｆの甲と裏の寸法以内に設定される。図示の例では、板バネ体４の両端はそれぞれ、仮想の円の円弧に沿ったアール状の輪郭を持つように成形されている。
【００２６】
ばね条数を異ならせることで板バネ体４の種類が異なる。後述のように外側装着体３の内側部分３ｆに添装される各板バネ体４’（親指側板バネ体）は長さと幅とは同じであるが、ばね条数を異にしており、このばね条数を異にする二枚以上の板バネ体４’を含んで矯正具１が構成される。
【００２７】
板バネ体４’は、無負荷状態においては、その両面４ａ、４ｃをいずれも仮想の平面に実質的に平行に配した平坦な形態を保つようになっている。
【００２８】
そして、この実施の形態にかかる矯正具１にあっては、二種以上の前記板バネ体４’のいずれか一つを、前記内側部分３ｆの外側に、足Ｆの前後方向ｘに前記板バネ体４’の長さ方向を沿わせ、かつ、前記板バネ体４’の一面４ａが足Ｆの親指Ｆｃ側の側部に向き合う態様で、取り替え自在に添装可能としている。
【００２９】
これにより、この実施の形態にあっては、足Ｆに前記内側装着体２を装着した状態からさらに外側装着体３に足Ｆを差し入れたときに、前記のように添装された板バネ体４’を、内側装着体２の装着位置を屈曲中心ｙとして、この屈曲中心ｙよりも足Ｆのつま先Ｆａ側に位置される部分４ｂが小指Ｆｄ側に位置されるように弾性変形させることができる。そして、この弾性変形によって板バネ体４’から生じる力（弾性復帰しようとする力）を親指Ｆｃのつま先Ｆａ側を小指Ｆｄから離れる向きに引っ張る力として外側装着体３を介して親指Ｆｃの骨に作用させることができ、この力の作用によって、外反母趾を矯正することができる。また、外側装着体３に添装させる板バネ体４’を取り替えることにより、板バネ体４’によって作用される前記力の大きさを必要に応じて変えることができる。内側装着体２をＭＰ関節ＦｅよりもややかかとＦｂ側に装着することで、外反母趾によって突き出したＭＰ関節Ｆｅを板バネ体４’で直接的に圧迫しないようにして、前記屈曲中心ｙを支点とした前記力を親指Ｆｃの骨に作用させることができる。
【００３０】
図示の例では、前記外側装着体３は、前記内側部分３ｆに、前記板バネ体４’をその一端から挿入可能な挿入隙間５を備えている。
【００３１】
具体的には、外側装着体３の内側部分３ｆの外側に止着されるベース生地６と、このベース生地６の外面の外側に添装される押さえ生地７との間に、前記挿入隙間５を形成させるようにしている（図２）。
【００３２】
図示の例では、ベース生地６及び押さえ生地７は、足Ｆの前後方向ｘに長く、足Ｆの厚み寸法内の幅をもった帯状に形成されている。ベース生地６と押さえ生地７とは両者の長さ方向に沿った上縁部及び下縁部において縫着によって一体化されている。上縁部の縫着部と下縁部の縫着部との間の距離は板バネ体４’の幅寸法と実質的に同じか、やや大きくなっている。また、従って、ベース生地６と押さえ生地７との間には、前側（外側装着体３における足Ｆの指先側に位置される側）あるいは後側（外側装着体３における足ＦのかかとＦｂ側に位置される側）から板バネ体４’を差し込めるようになっている。
【００３３】
この実施の形態にあっては、前記押さえ生地７に上下方向に沿ったスリット８を、前後方向ｘに隣り合うスリット８との間に間隔を開けて、複数形成させている。図示の例では、板バネ体４’の他面４ｃの全体を、前記押さえ生地７で覆わない態様で、前記外側装着体３の内側部分３ｆの外面に板バネ体４’を添装させるようになっている。すなわち、前後方向ｘにおいて、スリット８によって分割された前記押さえ生地７の分割部分７ａが、板バネ体４”の他面４ｃ側と一面４ａ側とに交互に位置されるように、ベース生地９と押さえ生地１０との間に板バネ体４’を縫うように通すことで、板バネ体４’の他面４ｃの全体を、前記押さえ生地１０で覆わない態様で、前記外側装着体３の内側部分３ｆの外面に板バネ体４’を添装させている。
【００３４】
また、この実施の形態にあっては、二種以上の前記板バネ体４”（小指側板バネ体）のいずれか一つを、前記外側部分３ｇに、足Ｆの前後方向ｘに前記板バネ体４”の長さ方向を沿わせ、かつ、前記板バネ体４”の一面４ａが足Ｆの小指Ｆｄ側の側部に向き合う態様で、取り替え自在に添装可能としている。ばね条数を異ならせることで板バネ体４”の種類が異なる。外側装着体３の外側部分３ｇに添装される各板バネ４”は長さと幅とは同じであるが、ばね条数を異にしており、このばね条数を異にする二枚以上の板バネ体４”を含んで矯正具１が構成されている。
【００３５】
これにより、この実施の形態にあっては、足Ｆの小指Ｆｄ側において、この小指Ｆｄの付け根側が外側に突き出すようになった足Ｆの骨の変形も同時に矯正可能となっている。
【００３６】
この実施の形態にあっては、足Ｆに前記内側装着体２を装着した状態からさらに外側装着体３に足Ｆを差し入れたときに、前記のように添装された板バネ体４”を、内側装着体２の装着位置を屈曲中心ｙとして、この屈曲中心ｙよりも足Ｆのつま先Ｆａ側に位置される部分４ｂが親指Ｆｃ側に位置されるように弾性変形させることができる。そして、この弾性変形によって板バネ体４”から生じる力（弾性復帰しようとする力）を小指Ｆｄのつま先Ｆａ側を親指Ｆｃから離れる向きに引っ張る力として外側装着体３を介して小指Ｆｄの骨に作用させることができ、この力の作用によって、内反小趾を矯正することができる。また、外側装着体３に添装させる板バネ体４”を取り替えることにより、板バネ体４”によって作用される前記力の大きさを必要に応じて変えることができる。内側装着体２をＭＰ関節ＦｅよりもややかかとＦｂ側に装着することで、内反小趾によって突き出したＭＰ関節Ｆｅを板バネ体４”で直接的に圧迫しないようにして、前記屈曲中心ｙを支点とした前記力を小指Ｆｄの骨に作用させることができる。
【００３７】
外側装着体３の外側部分３ｇに添装される板バネ体４”は、内側部分３ｆに添装される板バネ体４’よりも幅寸法がやや小さくなるように構成されている。
【００３８】
また、図示の例では、前記外側装着体３は、前記板バネ体４”をその一端から挿入可能な挿入隙間９を備えている。
【００３９】
具体的には、外側装着体３の外側部分３ｇの外側に止着されるベース生地１０と、このベース生地１０の外面の外側に添装される押さえ生地１１との間に、前記挿入隙間９を形成させるようにしている（図２）。
【００４０】
図示の例では、ベース生地１０及び押さえ生地１１は、足Ｆの前後方向ｘに長く、足Ｆの厚み寸法内の幅をもった帯状に形成されている。ベース生地１０と押さえ生地１１とは両者の長さ方向に沿った上縁部及び下縁部において縫着によって一体化されている。上縁部の縫着部と下縁部の縫着部との間の距離は板バネ体４”の幅寸法と実質的に同じか、やや大きくなっている。また、従って、ベース生地１０と押さえ生地１１との間には、前側（外側装着体３における足Ｆのつま先Ｆａ側に位置される側）あるいは後ろ側（外側装着体３における足ＦのかかとＦｂ側に位置される側）から板バネ体４”を差し込めるようになっている。
【００４１】
この実施の形態にあっては、前記押さえ生地１１に上下方向に沿ったスリット１２を、前後方向ｘに隣り合うスリット１２との間に間隔を開けて、複数形成させている。図示の例では、板バネ体４”の他面３ｂの全体を、前記押さえ生地１１で覆わない態様で、前記外側装着体３の外側部分３ｇの外面に板バネ体４”を添装させるようになっている。すなわち、前後方向ｘにおいて、スリット１２によって分割された前記押さえ生地１１の分割部分１１ａが、板バネ体４”の他面４ｃ側と一面４ａ側とに交互に位置されるように、ベース生地１０と押さえ生地１１との間に板バネ体４”を縫うように通すことで、板バネ体４”の他面３ｂの全体を、前記押さえ生地１１で覆わない態様で、前記外側装着体３の外側部分３ｇの外面に板バネ体４”を添装させている。
【００４２】
図１〜図４は、左足Ｆに装着可能な矯正具１を示している。右足Ｆに装着可能な矯正具１は図１〜図４に示される矯正具１と勝手違い（左右対称）であるので、その説明は省略する。
【００４３】
なお、当然のことながら、本発明は以上に説明した実施態様に限定されるものではなく、本発明の目的を達成し得るすべての実施態様を含むものである。
【符号の説明】
【００４４】
Ｆ  足
Ｆａ  つま先
Ｆｃ  親指
Ｆｄ  小指
２  内側装着体
３  外側装着体
３ｆ  内側部分
３ｇ  外側部分
４  板バネ体
４ａ  一面
ｘ  前後方向
【図１】
2020028370.tif 000003
【図２】
2020028370.tif 000004
【図３】
2020028370.tif 000005
【図４】
2020028370.tif 000006
【図５】
2020028370.tif 000007